(57)【要約】【課題】注出キャップを操作することなくスクイズ容器を倒立させることができ、一旦注出が完了した状態から再度容器胴部を変形させて注出を行う際の容器胴部の変形に対する注出タイミングの遅れを防止することができるスクイズ容器用注出キャップを提供する。【解決手段】キャップ10は、スクイズ容器50の口部51に取り付けられるベース11と、このベース11に繋がり内容物を注出する注出口13を備える注出栓12と、注出に係る内容物の流通のみを許容する逆止弁14とを備える。この逆止弁14を注出栓12の注出通路内に配置し、当該逆止弁14と注出栓12との間に、前記注出に係る内容物を貯留しておく内容物貯留室Ｒを形成すると共に、注出口13を外部に向かって小径となる絞り孔に形成する。逆止弁14は、ベース11の裏面に取り付けられる弁座部材15と、この弁座部材15と注出栓12とにより挟持される弁体16ｂとを備え、この弁体16ｂに、ベース11の裏面に接し容器胴部52の復元に伴う外気の引き込みのみを許容する弁体16ｃを設ける。【選択図】図１
2006206161.tif 000002
【特許請求の範囲】
【請求項１】
容器胴部の変形及び復元の繰り返しによって内容物を注出するスクイズ容器用注出キャップであって、
前記注出キャップは、容器の口部に取り付けられるベースと、このベースに繋がり内容物を注出する注出口を備える注出栓と、注出に係る内容物の流通のみを許容する逆止弁とを備え、
この逆止弁を前記注出栓の注出通路内に配置し、当該逆止弁と前記注出栓との間に、前記注出に係る内容物を貯留しておく内容物貯留室を形成すると共に、前記注出口を外部に向かって小径となる絞り孔に形成したことを特徴とするスクイズ容器用注出キャップ。
【請求項２】
前記逆止弁は、前記ベースの裏面に取り付けられる弁座部材と、この弁座部材と前記注出栓とにより挟持される弁体とを備え、この弁体に、前記ベースの裏面に接し容器胴部の復元に伴う外気の引き込みのみを許容する弁体を設けたことを特徴とする請求項１に記載のスクイズ容器用注出キャップ。
【発明の詳細な説明】
【技術分野】
【０００１】
本発明は、容器に対する握り動作の繰り返しによって内容物を注出するスクイズ容器用注出キャップに関するものである。
【背景技術】
【０００２】
使用者が容器胴部の変形及び復元を繰り返すことにより内容物を注出する、所謂スクイズ容器は、容器を倒立させた状態で注出する必要がある。このため、こうした容器に用いられる注出キャップには、容器口部に取り付けられる中栓と、この中栓に対して上下動するキャップ本体とを備え、このキャップ本体を中栓から引き上げて注出口を開く一方、キャップ本体を中栓に押し下げて注出口を閉じるものがある（例えば、特許文献１参照。）。
【特許文献１】実公昭４３−６４７２号公報
【０００３】
しかし、上記従来の注出キャップでは、キャップ本体を引き上げた状態まま倒立させると、内容物がタレ落ちてしまう場合がある。このため、こうした注出キャップは、注出を行わない場合は、キャップ本体を押し下げることにより注出口を閉じる必要がある。
【０００４】
また、従来の注出キャップでは、その胴部を変形させると容器内が減圧状態となるため、キャップ本体を引き上げた状態で握りを緩めると、容器内の負圧によって注出口内の内容物が容器内に戻ってしまう場合がある。この場合、使用者の握り操作によって一旦注出がなされたのち、使用者が再度握って内容物を注出しようとすると、その握り操作に対する注出タイミングに遅れるが生じるという問題がある。
【発明の開示】
【発明が解決しようとする課題】
【０００５】
本発明の解決課題は、注出キャップを操作することなくスクイズ容器を倒立させることができることと、一旦注出が完了した状態から再度容器胴部を変形させて注出を行う際の容器胴部の変形に対する注出タイミングの遅れを防止することにある。
【課題を解決するための手段】
【０００６】
本発明は、容器胴部の変形及び復元の繰り返しによって内容物を注出するスクイズ容器用注出キャップであって、前記注出キャップは、容器の口部に取り付けられるベースと、このベースに繋がり内容物を注出する注出口を備える注出栓と、注出に係る内容物の流通のみを許容する逆止弁とを備え、この逆止弁を前記注出栓の注出通路内に配置し、当該逆止弁と前記注出栓との間に、前記注出に係る内容物を貯留しておく内容物貯留室を形成すると共に、前記注出口を外部に向かって小径となる絞り孔に形成したことを特徴とするものである。
【０００７】
本発明において、前記逆止弁は、前記ベースの裏面に取り付けられる弁座部材と、この弁座部材と前記注出栓とにより挟持される弁体とを備え、この弁体に、前記ベースの裏面に接し容器胴部の復元に伴う外気の引き込みのみを許容する弁体を設けることが好ましい。
【発明の効果】
【０００８】
本発明は、注出栓の注出通路内に、注出に係る内容物の流通のみを許容する逆止弁を配置し、当該逆止弁と前記注出栓との間に前記注出に係る内容物を貯留しておく内容物貯留室を形成しているため、容器胴部を変形させると、スクイズ容器から圧送された内容物は、内容物貯留室を通って外部に注出されるが、容器胴部が復元されると、内容物貯留室に充満した内容物は逆止弁によって容器内に逆流することがない。このため、容器胴部の変形が復元されても内容物貯留室内に充満した内容物は予備的に保持される。従って本発明によれば、容器胴部を握って一旦注出が完了した状態から再度容器胴部を握って注出を行う際も、その握り操作に対する注出タイミングにほとんど遅れを生じることがなく、応答性のよい快適な注出を実現することができる。
【０００９】
しかも、本発明は、その注出口を外部に向かって小径となる絞り孔とすることにより、前記貯留室に充満した内容物は、容器を倒立させても容器胴部の変形が生じない限り、その表面張力と大気圧とによって当該貯留室内に保持されるため、内容物が注出口からタレ落ちることがない。従って本発明によれば、注出キャップを操作することなくスクイズ容器を倒立させることができる。
【００１０】
更に、本発明において、前記逆止弁が、前記ベースの裏面に取り付けられる弁座と、この弁座と前記注出栓とにより挟持される弁体とを備え、この弁体に、前記ベースの裏面に接し容器胴部の復元に伴う外気の引き込みのみを許容する弁体を設ければ、容器胴部の復元を部品点数の少ない構成で実現できるため、生産性の向上及び低コスト化を図ることができる。
【発明を実施するための最良の形態】
【００１１】
図１（ａ），（ｂ）はそれぞれ、本発明の第一の形態であるヒンジ式注出キャップ10を示す要部断面図及びそのＡ部拡大図である。また、図２（ａ），（ｂ）はそれぞれ、図１の拡大断面図及び後述する弁体部材16を示す斜視図である。
【００１２】
図１において、符号50は、本発明に係るキャップ10が着脱可能に取り付けられるスクイズ容器である。スクイズ容器50は、使用者が容器50の胴部51を繰り返し圧搾することに伴う、当該胴部51の変形及び復元の繰り返しによってその口部51に内容物を圧送する。
【００１３】
キャップ10は、スクイズ容器50の口部51に螺着される円筒形のベース11と、内容物を注出する複数の注出口を備える注出栓12とを一体に備える。注出栓12は、その内部に空間（注出通路）を形成する円筒形であり、その先端が斜面12ａで閉じられている。この斜面12ａには、内部に通じる複数の注出口13が形成されている。この注出口13は、図２（ａ）に示す如く、その内側径Φ1が外側径Φ2に比べて小さくなり、外部に向かって小径となる絞り孔である。
【００１４】
また、注出栓12は、その末端にてベース11と一体に繋がり、その相互間に環状溝11ａを形成する。この環状溝11ａには、外気を導入するための貫通孔（以下、「第一外気吸入孔」という。）ｈ1が形成されている。更に、注出栓12は、その注出通路内に段部12ｂを有し、この段部12ｂによって逆止弁14を位置決めしている。逆止弁14は、環状溝11ｂを形成する側壁11ｗに嵌合してベース11の裏面に取り付けられる弁座部材15と、この弁座部材15と注出栓12の段部12ｂとにより挟持される弾性体からなる弁体部材16とを備える。
【００１５】
弁座部材15は、円柱形のシャフト15ａを有し、その先端縁の全周に亙って施されたテーパ面15ｂが弁座を構成する。また、弁座部材15には、テーパ面15ｂの下部にスクイズ容器50内に通じる開口ｈoを有すると共に、外気吸入孔ｈ1をスクイズ容器50内に導くための貫通孔（以下、「第二外気吸入孔」という。）ｈ2が形成されている。また本形態では、図１（ｂ）に示す如く、環状溝11ｂを形成する側壁11ｗの外周面と、弁座15ｂを包囲する側壁15ｃの内周面とにはそれぞれ、互いに嵌合して弁座部材15をベース11に対して抜け止めする凹部11ｎ及び凸部15ｐが形成されている。なお、かかる抜け止め構造は、側壁11ｗの外周面に凸部を設け、側壁15ｃの内周面に設けた凹部に嵌合させるか、或いは、互いに凸部を設けて嵌合させてもよい。
【００１６】
弁体部材16は、図２（ｂ）に示す如く、円筒形の胴部16ａを有し、その先端には、開口Ｈを有する環状の第一弁体（以下、「注出用弁体」という。）16ｂが一体に設けられている。注出用弁体16ｂの開口Ｈは、シャフト15ａを弁体部材16の内部から突き入れると、その開口縁部ｅ1（図２（ｂ）参照。）が弁座15ｂに当接するように形成されている。かかる構成によれば、弁体部材16の内部から注出用弁体16ｂに圧力が加わらない定常状態では、図１の実線に示す如く、注出用弁体16ｂの開口縁部ｅ1が弁座15ｂに当接し、逆止弁14と注出栓12との間に、注出に係る内容物を貯留しておく内容物貯留室Ｒを形成する。
【００１７】
また、弁体部材16は、その胴部16ａの末端に弾性体からなるフランジ状の第二弁体（以下、「外気吸入用弁体」という。）16ｃを一体に備える。この外気吸入用弁体16ｃは、弁座部材15と注出栓12の段部12ｃとで挟持された状態で環状溝11ｂの裏面11ｆに接する周縁ｅ2（図２（ｂ）参照。）を有し、容器50内の負圧によって外気吸入孔ｈ1からの外気の引き込みのみを許容する。
【００１８】
なお、ベース11には、ヒンジ11ｂを介して蓋体11ｃが揺動可能に一体に設けられている。この蓋体11ｃは、その裏面に筒状部11ｄを有し、この筒状部11ｄの外周面が蓋体11ｃを閉じた状態において環状溝11ａ内に嵌合する。かかる構成によれば、蓋体11ｃを閉じると、注出栓12と筒状部11ｄとの間はシール状態に保たれる。
【００１９】
次に、本形態の作用を説明する。
【００２０】
使用する際には、先ず蓋体11ｃを開けてスクイズ容器50を倒立させる。このとき、弁体部材16の注出用弁体16ｂは、その開口縁部ｅ1が弁座15ｂに当接するため、容器50内から内容物が漏れることはない。この状態で、使用者が容器胴部52を強く握ると、当該胴部52が変形するため、注出用弁体16ｂは、その開口縁部ｅ1が弁座15ｂから離間する。これにより、容器50の内容物は、内容物貯留室Ｒを通って注出口13からシャワー状に注出される。
【００２１】
次に、胴部52の握りを緩めると、胴部52が復元されるが、弁体15の注出用弁体16ｂは、その開口縁部ｅ1が弁座15ｂに当接したままのため、スクイズ容器50内から内容物が漏れることはない。これにより、内容物貯留室Ｒに充満した内容物は逆止弁14によってスクイズ容器50内に逆流することがない。このため、容器胴部52の変形が復元されても内容物貯留室Ｒ内に充満した内容物は予備的に保持される。従って本形態によれば、容器胴部52を握って一旦注出が完了した状態から再度容器胴部52を握って注出を行う際も、その握り操作に対する注出タイミングにほとんど遅れを生じることがなく、応答性のよい快適な注出を実現することができる。
【００２２】
しかも、本形態は、その注出口13を図２（ａ）に示す如く、外部に向かって小径となる絞り孔とするため、貯留室Ｒに充満した内容物は、スクイズ容器50を倒立させても容器胴部52の変形が生じない限り、その表面張力と大気圧とによって当該貯留室Ｒ内に保持されるため、内容物が注出口13からタレ落ちることがない。従って本形態によれば、キャップ10を操作することなくスクイズ容器50を倒立させることができる。
【００２３】
更に、本形態において、逆止弁14は、ベース11の裏面に取り付けられる弁座部材15と、この弁座部材15と注出栓12とにより挟持される注出用弁体16ｂとを備え、この注出用弁体16ｂに、ベース11の裏面に接し容器胴部52の復元に伴う外気の引き込みのみを許容する外気吸入用弁体16ｃを一体に設けている。この場合、容器胴部52の復元を部品点数の少ない構成で実現できるため、生産性の向上及び低コスト化を図ることができる。
【００２４】
図３は、本発明の第二の形態であるヒンジ式注出キャップ20を示す要部断面図である。また、図４（ａ），（ｂ）はそれぞれ、後述する弁体26及びその変形例を示す斜視図である。なお、本形態において、図１〜２と同一部分は、同一符号をもってその説明を省略する。
【００２５】
本形態において、逆止弁24は、環状溝11ｂの外周面に嵌合してベース11の裏面に取り付けられる弁座部材25と、この弁座部材25と注出栓12の段部12ｂとにより挟持される弾性体からなる弁体部材26とを備える。
【００２６】
弁座部材25は、その中心に円筒形に隆起した弁座25ａを備える。弁座25ａには、スクイズ容器50内に通じる開口ｈ3が形成されている。また、弁座部材25には、容器口部51を覆いベース11と容器口部51との間で挟持されるフランジ部25ｂを有する。また、フランジ部25ｂは、容器口部51の内面に嵌合する筒状部25ｃを有し、フランジ部25ｂと共に容器50内を封止する。
【００２７】
弁体部材26は、図４（ａ）に示す如く、円筒形の胴部26ａを有し、その先端には、第一弁体（以下、「注出用弁体」という。）26ｂがその周囲に沿って伸びる３つの弾性片26cを介して胴部26ａに一体に設けられている。注出用弁体26ｂは、弁体部材26を注出栓12と弁座部材25とで挟持すると、弁座25ａに当接して開口25ｂを封止するように形成されている。かかる構成によれば、弁体部材26の内部から注出用弁体26ｂに圧力が加わらない定常状態では、図３の実線に示す如く、注出用弁体26ｂが弁座25ｂに当接し、逆止弁24と注出栓12との間に注出に係る内容物を貯留しておく内容物貯留室Ｒを形成する。
【００２８】
また、弁体部材26は、その胴部26ａの末端に弾性体からなるフランジ状の第二弁体（以下、「外気吸入用弁体」という。）26ｄを一体に備える。この外気吸入用弁体26ｄも、弁座部材25と注出栓12の段部12ｃとで挟持された状態で環状溝11ｂの裏面に接する周縁ｅ2（図４（ａ）参照。）を有し、容器50内の負圧によって外気吸入孔ｈ1からの外気の引き込みのみを許容する。
【００２９】
次に、本形態の作用を説明する。
【００３０】
使用する際には、先ず蓋体11ｃを開けてスクイズ容器50を倒立させる。このとき、弁体部材26の注出用弁体26ｂは弁座25ａに当接して開口25ｂを封止するため、容器50内から内容物が漏れることはない。この状態で、使用者が容器胴部52を強く握ると、当該胴部52が変形するため、弁体部材26の注出用弁体26ｂは、図３の破線に示す如く、弁座25ａから離間する。これにより、容器50の内容物は、内容物貯留室Ｒを通って注出口13からシャワー状に注出される。
【００３１】
次に、胴部52の握りを緩めると、胴部52が復元されるが、弁体部26の注出用弁体26ｂは、図３の実線に示す如く、弁座25ａに当接したまま開口25ｂを封止しているため、スクイズ容器50内から内容物が漏れることはない。これにより、内容物貯留室Ｒに充満した内容物は逆止弁24によってスクイズ容器50内に逆流することがない。このため、容器胴部52の変形が復元されても内容物貯留室Ｒ内に充満した内容物は予備的に保持される。従って本形態によっても、容器胴部52を握って一旦注出が完了した状態から再度容器胴部52を握って注出を行う際も、その握り操作に対する注出タイミングにほとんど遅れを生じることがなく、応答性のよい快適な注出を実現することができる。
【００３２】
しかも、本形態も、その注出口13を図２（ａ）に示す如く、外部に向かって小径となる絞り孔とするため、貯留室Ｒに充満した内容物は、スクイズ容器50を倒立させても容器胴部52の変形が生じない限り、その表面張力と大気圧とによって当該貯留室Ｒ内に保持されるため、内容物が注出口13からタレ落ちることがない。従って本形態によっても、キャップ10を操作することなくスクイズ容器50を倒立させることができる。
【００３３】
更に、本形態においても、逆止弁24は、ベース11の裏面に取り付けられる弁座部材25と、この弁座部材25と注出栓12とにより挟持される注出用弁体26ｂとを備え、この弁体26ｂに、ベース11の裏面に接し容器胴部52の復元に伴う外気の引き込みのみを許容する外気吸入用弁体26ｄを設けている。この場合も、容器胴部52の復元を部品点数の少ない構成で実現できるため、生産性の向上及び低コスト化を図ることができる。
【００３４】
なお、図４（ｂ）は、注出用弁体26の変形例を示す斜視図である。この弁体部材25は、注出用弁体26ｂが１つの弾性片26ｃを介して胴部26ａに一体に設けられたものである。かかる構成の如く、注出用弁体26ｂは、少なくとも１つの弾性片26ｃを介して胴部26ａに一体に設けてあればよい。
【００３５】
上述したところは、本発明の最良の形態を示したものであるが、請求の範囲において、様々な変更を加えることができる。例えば、逆止弁14，24は、注出用弁体と外気吸入用弁体とを一体に設けているが、注出用弁体16ｂ（26ｂ）から外気吸入用弁体16ｃ（26ｄ）を分離することにより、注出にかかる逆止弁のみの機能を持たせ、外気吸入にかかる逆止弁を別体に設けてもよい。また、第一形態及び第二の形態に採用した個々の構成はそれぞれ、適宜組み合わせて用いることができる。
【図面の簡単な説明】
【００３６】
【図１】（ａ），（ｂ）はそれぞれ、本発明の第一の形態であるヒンジ式注出キャップ10を示す要部断面図及びそのＡ部拡大図である。
【図２】（ａ），（ｂ）はそれぞれ、図１の拡大断面図及び後述する弁体を示す斜視図である。
【図３】本発明の第二の形態であるヒンジ式注出キャップを示す要部断面図である。
【図４】（ａ），（ｂ）はそれぞれ、図３の弁体及びその変形例を示す斜視図である。
【符号の説明】
【００３７】
10    ヒンジキャップ
11    ベース
12    注出栓
13    注出口
14    逆止弁
15    弁座部材
15ａ  シャフト
15ｂ  弁座
16    弁体部材
16ｂ  注出用弁体
16ｃ  外気吸入用弁体
【図１】
2006206161.tif 000003
【図２】
2006206161.tif 000004
【図３】
2006206161.tif 000005
【図４】
2006206161.tif 000006